(57)【特許請求の範囲】
【請求項１】
所定の波長の光を発光する固体光源と、
基板と、前記固体光源からの光を励起光として発光する第１の蛍光体層と第２の蛍光体層と、前記第１の蛍光体層と第２の蛍光体層との間に設けられた第１の反射層と、前記第２の蛍光体層と前記基板との間に設けられた第２の反射層とからなる蛍光体基板と、を備え、
前記第１の反射層が波長選択性反射膜であり、
前記第１の蛍光体層は黄色蛍光体を含み、前記第２の蛍光体層は赤色蛍光体を含み、
前記波長選択性反射膜は緑色及び黄色成分光を反射し、赤色成分光及び青色成分光を透過させる、光源装置。
【請求項２】
所定の波長の光を発光する固体光源と、
基板と、前記固体光源からの光を励起光として発光する第１の蛍光体層と第２の蛍光体層と、前記第１の蛍光体層と第２の蛍光体層との間に設けられた第１の反射層と、前記第２の蛍光体層と前記基板との間に設けられた第２の反射層とからなる蛍光体基板と、を備え、
前記第１の反射層が波長選択性反射膜であり、
前記第１の蛍光体層は黄色蛍光体を含み、前記第２の蛍光体層は青色、もしくは緑色蛍光体を含み、前記波長選択性反射膜は、緑色及び赤色成分光を反射し、青色成分光を透過させる、光源装置。
【請求項３】
前記第２の反射層は、すべての帯域の光を反射する全反射膜である、請求項１、または請求項２に記載の光源装置。
【請求項４】
前記第２の反射層は、緑、黄、赤色成分光を反射し、青色成分光を透過させる、波長選択性反射膜である、請求項１に記載の光源装置。
【請求項５】
前記第１の蛍光体層は、セラミックバインダ蛍光体層、もしくは、ガラスバインダ蛍光体層である、請求項３または４に記載の光源装置。
【請求項６】
前記第２の蛍光体層は、蛍光体粒子とシリコーン樹脂を混合した樹脂蛍光体層である、請求項５に記載の光源装置。
【請求項７】
請求項１乃至６のいずれか１項に記載の光源装置を備えた投写型映像表示装置。
【発明の詳細な説明】
【技術分野】
【０００１】
本開示は、光源装置、および投写型映像表示装置に関する。
【背景技術】
【０００２】
特許文献１は、光源装置および照明装置を開示する。この光源装置および照明装置は、所定の波長の光を発光する固体光源と、第１の蛍光体を含む蛍光体層と、放熱基板と、蛍光体層と放熱基板と接合する接合層とを有している。固体光源は、紫外光から可視光までの所定の波長の光を発光し、第１の蛍光体を含む蛍光体層は、固体光源からの励起光により励起される固体光源の発光波長よりも長波長であって、赤色よりも短波長の蛍光を発光する。放熱基板は、蛍光体層の面のうち固体光源からの励起光が入射する側の面とは反対側の面に設けられる。
【０００３】
固体光源と蛍光体層とが空間的に離れた位置にあり、蛍光体層の面のうち固体光源からの励起光が入射した側の面から、少なくとも蛍光が反射方式で取り出される。また放熱基板を回転体に取り付け回転させることにより、光照射部での発熱を抑えることができ、これにより、従来に比べて十分な高輝度化を図ることを可能としている。
【０００４】
接合層は、蛍光体層と放熱基板とを接合し、固体光源からの励起光により励起されるとき、第１の蛍光体の発光波長よりも長波長の蛍光を発光する蛍光体粒子が含まれている。これにより、反射光として白色などの照明光を得るとき、反射光としての照明光に赤色成分が不足するという事態が生じるのを防止することを可能としている。
【先行技術文献】
【特許文献】
【０００５】
【特許文献１】特開２０１２−２４３６１８号公報
【発明の概要】
【発明が解決しようとする課題】
【０００６】
本開示は、積層構造の蛍光体層を有する蛍光体デバイスにおいて、蛍光体層での再吸収、及び発光スポットの拡がりを抑制することにより、従来に比べ更に高効率化を図ることが可能な光源装置、およびこの光源装置を用いた投写型映像表示を提供する。
【課題を解決するための手段】
【０００７】
本開示における光源装置は、所定の波長の光を発光する固体光源と、基板と、固体光源からの光を励起光として発光する第１の蛍光体層と第２の蛍光体層と、第１の蛍光体層と第２の蛍光体層との間に設けられた第１の反射層と、第２の蛍光体層と基板との間に設けられた第２の反射層とからなる蛍光体基板を備え、第１の反射層が波長選択性反射膜である。
【発明の効果】
【０００８】
本開示における光源装置は、所定の波長の光を発光する固体光源と、基板と、固体光源からの光を励起光として発光する第１の蛍光体層と第２の蛍光体層と、第１の蛍光体層と第２の蛍光体層との間に設けられた第１の反射層と、第２の蛍光体層と基板との間に設けられた第２の反射層とからなる蛍光体基板を備える。第１の反射層を波長選択性反射膜とすることにより、第２の蛍光体層での再吸収、及び第１の蛍光体層での発光スポットの拡がりを抑制し、従来に比べ更に高効率化を図ることができる。
【図面の簡単な説明】
【０００９】
【図１】実施の形態１〜３における投写型映像表示装置の外観斜視図
【図２】実施の形態１〜３における投写型映像表示装置の構成を示す模式図
【図３】実施の形態１における投写型映像表示装置の光源部構成図
【図４】実施の形態１、及び３における投写型映像表示装置の光源ユニット構成図
【図５】実施の形態１における投写型映像表示装置の蛍光体ホイール構成図
【図６】実施の形態１における投写型映像表示装置の蛍光体領域構成図
【図７】実施の形態２における投写型映像表示装置の光源部構成図
【図８】実施の形態２における投写型映像表示装置の光源ユニット構成図
【図９】実施の形態２における投写型映像表示装置の蛍光体ホイール構成図
【図１０】実施の形態２における投写型映像表示装置の蛍光体領域構成図
【図１１】実施の形態３における投写型映像表示装置の光源部構成図
【図１２】実施の形態３における投写型映像表示装置の蛍光体ホイール構成図
【図１３】実施の形態３における投写型映像表示装置の蛍光体領域構成図
【図１４】実施の形態４における投写型映像表示装置の光源部構成図
【図１５】実施の形態４における投写型映像表示装置の光源ユニット構成図
【図１６】実施の形態４における投写型映像表示装置の蛍光体ホイール構成図
【図１７】実施の形態４における投写型映像表示装置の蛍光体領域構成図
【発明を実施するための形態】
【００１０】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１１】
なお、出願人は、当業者が本開示を十分に理解するために添付図面および以下の説明を提供するのであって、これらによって特許請求の範囲に記載の主題を限定することを意図するものではない。
（実施の形態１）
［１−１］概要
投写型映像表示装置１００の概要について図１を用いて説明する。
【００１２】
図１は、投写型映像表示装置１００の外観斜視図である。投写型映像表示装置１００は、光源装置と、デジタル・ミラー・デバイス（以下、ＤＭＤと称する）、投写光学系とを備える。投写型映像表示装置１００は、光源装置で発光した光を映像信号に基づいてＤＭＤで変調することで映像光を生成する。投写型映像表示装置１００は、生成した映像光を、投写光学系を介してスクリーン１０５に投写する。
【００１３】
［１−２］全体構成
投写型映像表示装置１００の光学構成について図２を用いて説明する。
【００１４】
図２は、投写型映像表示装置１００の光学構成を示す模式図である。
【００１５】
光源部２００から出射した白色光は、照明光学系５０を構成するレンズ５２に入射し、ロッド５４の入射面近傍で集光する。ロッド５４に入射した光は、ロッド内部で複数回反射することによって、光強度分布が実質的に均一化されて出射する。ロッド５４から出射した光は、レンズ５６によって集光される。レンズ５６は、ロッド５４の出射面の像を後述するＤＭＤに結像させるリレー系のレンズである。ミラー６２で反射した後、映像生成部２０にあるレンズ５８を介して全反射プリズム２４に入射する。レンズ５８は、入射した光を略平行に集光するレンズである。
【００１６】
全反射プリズム２４は２つのプリズムから構成され、互いのプリズムの近接面には薄い空気層２６が介在している。空気層２６は臨界角以上の角度で入射する光を全反射する。レンズ５８を介して、全反射プリズム２４に入射した光は、全反射面で反射されて、カラープリズム２８に入射する。
【００１７】
カラープリズム２８は３つのプリズムからなり、それぞれのプリズムの近接面には、青反射のダイクロイック膜３０と赤反射のダイクロイック膜３２が形成されている。カラープリズム２８に入射した光は、青反射のダイクロイック膜３０と赤反射のダイクロイック膜３２とによって、青、赤、緑の色光に分離され、それぞれＤＭＤ３４、３６、３８に入射する。ＤＭＤ３４、３６、３８は、映像入力信号に応じて、投写光学系６０を構成する投写レンズに入射する光と、投写レンズの有効外へ進む光とにマイクロミラーを偏向させて分離する。
【００１８】
ＤＭＤ３４、３６、３８によって反射された光は、再度、カラープリズム２８を透過する。カラープリズム２８を透過する過程で、分離された青、赤、緑の各色光は合成され、全反射プリズム２４に入射する。全反射プリズム２４に入射した光は空気層２６に臨界角以下で入射するため、透過して、投写光学系６０に入射する。このようにして、ＤＭＤ３４、３６、３８によって形成された映像光が、スクリーン上に投写される。
【００１９】
映像生成部２０にはＤＭＤ３４、３６、３８を用いているため、液晶パネルに比べて、耐光性、耐熱性が高い投写型映像表示装置１００が構成できる。さらに、３つＤＭＤを用いているため、色再現が良好で、明るく高精細な投写映像を得ることができる。
【００２０】
［１−３］光源部の構成
実施の形態１に係る光源装置について、図３〜図６を用いて説明する。図３は、実施の形態１に係る光源部２００を示す図である。
【００２１】
実施の形態１では、図１で示した投写型映像表示装置に使用される光源部２００は、主として、第１の光源ユニット２１０Ａ、第２の光源ユニット２１０Ｂ、分離合成ミラー２７０、２７２、および蛍光体ホイール２２０によって構成される。また、光源部２００は、必要なレンズ群及びミラー群を含む。レンズ群としては、レンズ２５１〜レンズ２５７が設けられており、ミラー群としては、ミラー２６１、およびミラー２６２が設けられている。また、光源部２００は、必要な拡散板群を有する。拡散板群としては、拡散板２４１および拡散板２４２が設けられている。
【００２２】
第１の光源ユニット２１０Ａおよび第２の光源ユニット２１０Ｂは、例えば、レーザダイオード（ＬＤ：Ｌａｓｅｒ  Ｄｉｏｄｅ）や発光ダイオード（ＬＥＤ：Ｌｉｇｈｔ  Ｅｍｉｔｔｉｎｇ  Ｄｉｏｄｅ）などの複数の固体光源によって構成される。本実施の形態では固体光源として紫外光から可視光までの波長領域のうち所定の波長の光を発光するレーザダイオード、特に波長４４０〜４７０ｎｍの青色光を出射するレーザダイオードを使用しており、この青色光は蛍光体を励起するための励起光としても用いられる。図４に示すように、第１の光源ユニット２１０Ａおよび第２の光源ユニット２１０Ｂは、それぞれ、３つの光源ブロック２１２で構成されており、光源ブロック２１２は６つのレーザダイオード２１１によって構成される。ここで、レーザダイオードは、発光素子の一例である。
【００２３】
図３に戻って、第１の光源ユニット２１０Ａおよび第２の光源ユニット２１０Ｂからの出射光は、分離合成ミラー２７０によって、蛍光体ホイール２２０を励起するための励起光Ｂ１と、映像光として用いられる青色光Ｂ２に、光束が分離かつ合成される。
【００２４】
分離合成ミラー２７０で反射により分離された第１の光源ユニット２１０Ａの青色光、および、分離合成ミラー２７０を透過した第２の光源ユニット２１０Ｂの青色光の一部は、励起光Ｂ１となる。この励起光Ｂ１は、レンズ２５１、ミラー２６１、レンズ２５３、拡散板２４１、ダイクロイックミラー２７２、レンズ２５５、レンズ２５７、蛍光体ホイール２２０の経路からなる光路（第１光路）を通る。これにより、励起光Ｂ１は、蛍光体ホイール２２０の蛍光体に照射され、蛍光成分Ｐ１を発光する。
【００２５】
一方、分離合成ミラー２７０を透過した第１の光源ユニット２１０Ａからの青色光の一部、および分離合成ミラー２７０で反射により分離された第２の光源ユニット２１０Ｂの青色光は、映像光成分Ｂ２となる。この映像光成分Ｂ２は、レンズ２５２、ミラー２６２、拡散板２４２、レンズ２５４、ダイクロイックミラー２７２の経路からなる光路（第２光路）を通る。そして、蛍光成分Ｐ１と青色光Ｂ２は、ダイクロイックミラー２７２によって合成され（すなわち、第１光路と第２光路が１つの光路に纏められ）、白色光として出射される。
【００２６】
［１−４］蛍光体ホイールの構成
蛍光体ホイール２２０は、励起光Ｂ１の光軸に沿って延びる回転軸２２０Ｘを中心として回転するように構成される。蛍光体ホイール２２０は、励起光の入射方向と反対方向に蛍光を発する反射型蛍光体ホイールの一例である。
【００２７】
図５に示すように、蛍光体ホイール２２０は、基板３１０と、基板３１０上に基板の回転方向に円環状に形成された蛍光体領域３２０と、蛍光体領域３２０が形成された蛍光体基板３１１を回転させるためのモーター３３０とにより構成されている。
【００２８】
実施形態１に係る、蛍光体領域３２０の詳細構成につき、図６（ａ）を用いて説明する。
蛍光体領域３２０は、第１の蛍光体層４１０、第２の蛍光体層４３０、第１の反射層４２０、第２の反射層４４０、および基板３１０によって構成される。これら蛍光体層、反射層は、励起光Ｂ１の入射方向に対して、第１の蛍光体層４１０、第１の反射層４２０、第２の蛍光体層４３０、第２の反射層４４０の順で、基板３１０上に積層配置されている。
【００２９】
第１の蛍光体層４１０は、励起光Ｂ１に応じ、緑色〜黄色を主たる波長域として、蛍光を発する黄色蛍光体である第１の蛍光体４１１、およびセラミック材料からなる第１のバインダ４１２によって構成される。この第１の蛍光体４１１は、青色の励起光を効率的に吸収して蛍光を効率的に発光し、且つ温度消光に対する耐性が高い蛍光体であることが好ましい。第１の蛍光体４１１は、例えば、セリウム付活ガーネット構造蛍光体であるＹ３Ａｌ５Ｏ１２：Ｃｅ３＋である。
【００３０】
第２の蛍光体層４３０は、励起光Ｂ１に応じ、赤色を主たる波長域として、蛍光を発する赤色蛍光体である第２の蛍光体４３１、およびシリコーン樹脂からなる第２のバインダ４３２によって構成される。第２の蛍光体４３１は、例えば、ユーロピウム付活の窒化物系の蛍光体である（Ｓｒ，Ｃａ）ＡｌＳｉＮ３：Ｅｕ２＋である。
【００３１】
第１の反射層４２０は、詳細には、第１の蛍光体層４１０と第２の蛍光体層４３０の間、第１の蛍光体層４１０上に形成された誘電体多層膜であり、少なくとも光が入射する領域の全体に均一に形成され、波長によって入射光を選択的に透過させる。第１の反射層４２０は、例えば、４７０ｎｍ〜５８０ｎｍの入射光を反射し、４７０ｎｍより短波長の入射光、および５８０ｎｍより長波長の入射光を透過させる。
【００３２】
第２の反射層４４０は、詳細には、第２の蛍光体層４３０と基板３１０の間、基板３１０上に形成された全反射膜であり、少なくとも光が入射する領域の全体に均一に形成される。第２の反射層４４０は、例えば、Ａｇ合金からなる金属膜である。
【００３３】
このように構成された蛍光体領域３２０において、励起光Ｂ１によって励起され、第１の蛍光体４１１、および第２の蛍光体４３１より発せられた蛍光の光路につき、図６（ｂ）を用いて説明する。
【００３４】
まず、励起光Ｂ１は、蛍光体領域３２０において第１の蛍光体層４１０に入射する。このとき、第１の蛍光体層４１０に含まれる第１の蛍光体４１１は、励起光Ｂ１の一部を吸収することにより励起され、蛍光を発する。第１の蛍光体４１１より発せられた蛍光成分にて、前方発光、すなわち、蛍光体ホイール２２０の基板３１０側へと発せられた蛍光成分のうち、５８０ｎｍより短波長の蛍光成分Ｙ１（緑色及び黄色成分）は、第１の反射層４２０にて反射され、蛍光体ホイール２２０から取り出される。一方、５８０ｎｍより長波長の蛍光成分Ｙ２（赤色成分）は、第１の反射層４２０、および第２の蛍光体層４３０を経て、第２の反射層４４０に至り、第２の反射層４４０にて反射された後、第２の蛍光体層４３０、第１の反射層４２０、第１の蛍光体層４１０を経て、蛍光体ホイール２２０から取り出される。対して、第１の蛍光体４１１より発せられた蛍光成分にて、後方発光、すなわち、基板３１０とは反対側へと発せられた蛍光成分Ｙ３（緑色及び黄色成分）は、蛍光体ホイール２２０から取り出される。
【００３５】
次に、第１の蛍光体層４１０によって吸収されなかった励起光Ｂ１は、第１の反射層４２０を透過し、第２の蛍光体層４３０に入射する。このとき、第２の蛍光体層４３０に含まれる第２の蛍光体４３１は、励起光Ｂ１の一部を吸収することにより励起され、蛍光を発する。第２の蛍光体４３１より発せられた蛍光成分のうち、前方発光、すなわち基板３１０側へと発せられた蛍光成分Ｒ１（赤色成分）は、第２の反射層４４０にて反射された後、第２の蛍光体層４３０、第１の反射層４２０、第１の蛍光体層４１０を経て、蛍光体ホイール２２０から取り出される。対して、第２の蛍光体４３１より発せられた蛍光成分にて、後方発光、すなわち、蛍光体ホイールの基板３１０とは反対側へと発せられた蛍光成分Ｒ２（赤色成分）は、第１の反射層４２０、第１の蛍光体層４１０を経て蛍光体ホイール２２０から取り出される。
【００３６】
このとき、第１の蛍光体層４１０、および第２の蛍光体層４３０で吸収されなかった励起光Ｂ１は、第２の反射層４４０にて反射された後、第２の蛍光体層４３０、もしくは第１の蛍光体層４１０に吸収される、もしくは未変換光として蛍光体ホイール２２０から取り出される。
【００３７】
実施の形態１では、第１の反射層４２０の反射帯域を４７０ｎｍ〜５８０ｎｍとしたが、これに限定されるものではない。第１の反射層４２０の反射帯域４７０ｎｍ〜５８０ｎｍは、所定の反射帯域の一例である。
【００３８】
［１−５］効果
実施の形態１では、第１の蛍光体層４１０と第２の蛍光体層４３０との間に、誘電体多層膜からなる波長選択性反射膜である第１の反射層４２０が設けられる。これによって、第１の蛍光体４１１から前方発光する蛍光成分が第２の蛍光体層４３０に至り、第２の蛍光体４３１にて再吸収されることを防ぎ、かつ、第１の蛍光体４１１が発する蛍光成分と、第２の蛍光体４３１が発する蛍光成分とから構成される所望の蛍光成分を得ることが可能となる。すなわち、本実施の形態では、第１の蛍光体である黄色蛍光体から得られる色光の赤色成分が不足している場合でも、第２の蛍光体から得られる赤色成分によって、１つの蛍光体ホイールから所望の色成分光を得ることができる。
【００３９】
さらに、第１の蛍光体４１１から前方発光する蛍光成分のうち、短波長成分が第１の反射層４２０にて反射されることにより、蛍光体ホイール２２０から取り出されるまでの光路長が短縮される。これによって、より明るさに寄与する短波長成分光の発光スポットサイズの拡がりが抑制されるという効果もある。これらの効果により、結果として従来に比べ、十分に高効率化され、かつ所望の蛍光スペクトルを有する光源装置、およびこの光源装置を用いた投写型映像表示装置の提供が可能となる。
（実施の形態２）
［２−１］光源部の構成
実施の形態２に係る光源装置について、図７〜図１０を用いて説明する。図７は、実施の形態２に係る光源部２００を示す図である。
【００４０】
実施の形態２では、図２で示した投写型映像表示装置に使用される光源部２００は、主として、第１の光源ユニット５１０Ａ、第２の光源ユニット５１０Ｂ、分離合成ミラー５７０、５７２、および蛍光体ホイール５２０によって構成される。また、光源部２００は、必要なレンズ群及びミラー群を含む。レンズ群としては、レンズ２５１〜レンズ２５７が設けられており、ミラー群としては、ミラー２６１、およびミラー２６２が設けられている。また、光源部２００は、必要な拡散板群を有する。拡散板群としては、拡散板２４１および拡散板２４２が設けられている。
【００４１】
第１の光源ユニット５１０Ａおよび第２の光源ユニット５１０Ｂは、例えば、レーザダイオード（ＬＤ：Ｌａｓｅｒ  Ｄｉｏｄｅ）や発光ダイオード（ＬＥＤ：Ｌｉｇｈｔ  Ｅｍｉｔｔｉｎｇ  Ｄｉｏｄｅ）などの複数の固体光源によって構成される。
【００４２】
本実施の形態では固体光源として紫外光から可視光までの波長領域のうち所定の波長の光を発光するレーザダイオード、特に波長４００〜４３０ｎｍの紫色光を出射するレーザダイオード、および４４０〜４７０ｎｍの青色光を出射するレーザダイオードを使用しており、紫色光は蛍光体を励起するための励起光として用いられる。図８に示すように、第１の光源ユニット５１０Ａは２つの光源ブロック５１２、および１つの光源ブロック５１４で構成され、第２の光源ユニット５１０Ｂは３つの光源ブロック５１２で構成されており、光源ブロック５１２は紫色光を出射する６つのレーザダイオード５１１、光源ブロック５１４は青色光を出射する６つのレーザダイオード５１３によって構成される。ここで、レーザダイオードは、発光素子の一例である。
【００４３】
図７に戻って、第１の光源ユニット５１０Ａおよび第２の光源ユニット５１０Ｂからの出射光は、分離合成ミラー５７０によって、蛍光体ホイール５２０を励起するための励起光Ｖ１と、映像光として用いられる青色光Ｂ３に、光束が分離かつ合成される。
【００４４】
分離合成ミラー５７０で反射により分離された第１の光源ユニット５１０Ａの紫色光、および、分離合成ミラー５７０を透過した第２の光源ユニット５１０Ｂの紫色光は、励起光Ｖ１となる。この励起光Ｖ１は、レンズ２５１、ミラー２６１、レンズ２５３、拡散板２４１、ダイクロイックミラー５７２、レンズ２５５、レンズ２５７、蛍光体ホイール５２０の経路からなる光路（第１光路）を通る。これにより、励起光Ｖ１は、蛍光体ホイール５２０の蛍光体に照射され、蛍光成分Ｐ２を発光する。
【００４５】
一方、分離合成ミラー５７０で反射により分離された第２の光源ユニット５１０Ｂの青色光は、映像光成分Ｂ３となる。この映像光成分Ｂ３は、レンズ２５２、ミラー２６２、拡散板２４２、レンズ２５４、ダイクロイックミラー５７２の経路からなる光路（第２光路）を通る。そして、蛍光成分Ｐ２と青色光Ｂ３は、ダイクロイックミラー５７２によって合成され（すなわち、第１光路と第２光路が１つの光路に纏められ）、白色光として出射される。
【００４６】
［２−２］蛍光体ホイールの構成
蛍光体ホイール５２０は、励起光Ｂ１の光軸に沿って延びる回転軸５２０Ｘを中心として回転するように構成される。蛍光体ホイール５２０は、励起光の入射方向と反対方向に蛍光を発する反射型蛍光体ホイールの一例である。
【００４７】
図９に示すように、蛍光体ホイール５２０は、基板６１０と、基板６１０上に基板の回転方向に円環状に形成された蛍光体領域６２０と、蛍光体領域６２０が形成された蛍光体基板６１１を回転させるためのモーター６３０とにより構成されている。
【００４８】
実施形態２に係る、蛍光体領域６２０の詳細構成につき、図１０（ａ）を用いて説明する。
【００４９】
蛍光体領域６２０は、第１の蛍光体層７１０、第２の蛍光体層７３０、第１の反射層７２０、第２の反射層７４０、および基板６１０によって構成される。これら蛍光体層、反射層は、励起光Ｖ１の入射方向に対して、第１の蛍光体層７１０、第１の反射層７２０、第２の蛍光体層７３０、第２の反射層７４０の順で、基板６１０上に積層配置されている。
【００５０】
第１の蛍光体層７１０は、励起光Ｖ１に応じ、緑色〜黄色を主たる波長域として、蛍光を発する黄色蛍光体である第１の蛍光体７１１、およびセラミック材料からなる第１のバインダ７１２によって構成される。この第１の蛍光体７１１は、紫色の励起光を効率的に吸収して蛍光を効率的に発光し、且つ温度消光に対する耐性が高い蛍光体であることが好ましい。第１の蛍光体７１１は、例えば、セリウム付活ガーネット構造蛍光体であるＹ３Ａｌ５Ｏ１２：Ｃｅ３＋である。
【００５１】
第２の蛍光体層７３０は、励起光Ｖ１に応じ、青色を主たる波長域として、蛍光を発する青色蛍光体である第２の蛍光体７３１、およびシリコーン樹脂からなる第２のバインダ７３２によって構成される。蛍光体５３１は、例えば、ユーロピウム付活の蛍光体である（Ｂａ，Ｓｒ）ＭｇＡｌ１０Ｏ１７：Ｅｕ２＋（ＢＡＭ：Ｅｕ２＋）である。
【００５２】
第１の反射層７２０は、詳細には、第１の蛍光体層７１０と第２の蛍光体層７３０の間、第１の蛍光体層７１０上に形成された誘電体多層膜であり、少なくとも光が入射する領域の全体に均一に形成され、波長によって入射光を選択的に透過させる。第１の反射層７２０は、例えば、５００ｎｍより長波長の入射光を反射し、５００ｎｍより短波長の入射光を透過させる。
【００５３】
第２の反射層７４０は、詳細には、第２の蛍光体層７３０と基板６１０の間、基板６１０上に形成された全反射膜であり、少なくとも光が入射する領域の全体に均一に形成される。第２の反射層７４０は、例えば、Ａｇ合金からなる金属膜である。
【００５４】
このように構成された蛍光体領域６２０において、励起光Ｖ１によって励起され、第１の蛍光体７１１、および第２の蛍光体７３１より発せられた蛍光の光路につき、図１０（ｂ）を用いて説明する。
【００５５】
まず、励起光Ｖ１は、蛍光体領域６２０において第１の蛍光体層７１０に入射する。このとき、第１の蛍光体層７１０に含まれる第１の蛍光体７１１は、励起光Ｖ１の一部を吸収することにより励起され、蛍光を発する。第１の蛍光体７１１より発せられた蛍光成分にて、前方発光、すなわち、蛍光体ホイール５２０の基板６１０側へと発せられた蛍光成分のうち、５００ｎｍより長波長の蛍光成分Ｙ４（緑色及び黄色成分）は、第１の反射層７２０にて反射され、蛍光体ホイール５２０から取り出される。一方、５００ｎｍより短波長の蛍光成分Ｙ５（青色成分）は、第１の反射層７２０、および第２の蛍光体層７３０を経て、第２の反射層７４０に至り、第２の反射層７４０にて反射された後、第２の蛍光体層７３０、第１の反射層７２０、第１の蛍光体層７１０を経て、蛍光体ホイール５２０から取り出される。対して、第１の蛍光体７１１より発せられた蛍光成分にて、後方発光、すなわち、基板６１０とは反対側へと発せられた蛍光成分Ｙ６（緑色及び赤色成分）は、蛍光体ホイール５２０から取り出される。
【００５６】
次に、第１の蛍光体層７１０によって吸収されなかった励起光Ｖ１は、第１の反射層７２０を透過し、第２の蛍光体層７３０に入射する。このとき、第２の蛍光体層７３０に含まれる第２の蛍光体７３１は、励起光Ｖ１の一部を吸収することにより励起され、蛍光を発する。第２の蛍光体７３１より発せられた蛍光成分のうち、前方発光、すなわち基板６１０側へと発せられた蛍光成分Ｃｙ１（青色成分）は、第２の反射層７４０にて反射された後、第２の蛍光体層７３０、第１の反射層７２０、第１の蛍光体層７１０を経て、蛍光体ホイール５２０から取り出される。対して、第２の蛍光体７３１より発せられた蛍光成分にて、後方発光、すなわち、蛍光体ホイールの基板６１０とは反対側へと発せられた蛍光成分Ｃｙ２（青色成分）は、第１の反射層７２０、第１の蛍光体層７１０を経て蛍光体ホイール５２０から取り出される。
【００５７】
このとき、第１の蛍光体層７１０、および第２の蛍光体層７３０で吸収されなかった励起光Ｖ１は、第２の反射層７４０にて反射された後、第２の蛍光体層７３０、もしくは第１の蛍光体層７１０に吸収される、もしくは未変換光として蛍光体ホイール５２０から取り出される。
【００５８】
実施の形態２では、第１の反射層７２０の反射帯域を５００ｎｍ以上としたが、これに限定されるものではない。第１の反射層７２０の反射帯域５００ｎｍ以上は、所定の反射帯域の一例である。
【００５９】
［２−３］効果
実施の形態２では、第１の蛍光体層７１０と第２の蛍光体層７３０との間に、誘電体多層膜からなる波長選択性反射膜である第１の反射層７２０が設けられる。これによって、第１の蛍光体７１１から前方発光する蛍光成分のうち、長波長成分が第１の反射層７２０にて反射されることにより、蛍光体ホイール５２０から取り出されるまでの光路長が短縮される。したがって、より明るさに寄与する緑〜黄色成分光の発光スポットサイズの拡がりが抑制し、かつ、第１の蛍光体７１１が発する蛍光成分と、第２の蛍光体７３１が発する蛍光成分とから構成される所望の蛍光成分を得ることが可能となる。この効果により、結果として従来に比べ、更に高効率化され、かつ所望の蛍光スペクトルを有する光源装置、およびこの光源装置を用いた投写型映像表示装置の提供が可能となる。
（実施の形態３）
［３−１］光源部の構成
実施の形態３に係る光源装置について、図１１〜図１３を用いて説明する。図１１は、実施の形態３に係る光源部２００を示す図である。
【００６０】
実施の形態３では、図１１で示した投写型映像表示装置に使用される光源部２００は、主として、第１の光源ユニット８１０Ａ、第２の光源ユニット８１０Ｂ、合成ミラー８７０、および蛍光体ホイール８２０によって構成される。また、光源部２００は、必要なレンズ群を含む。レンズ群としては、レンズ８５１〜レンズ８５７が設けられている。また、光源部２００は、必要な拡散板を有する。拡散板としては、拡散板８４１が設けられている。
【００６１】
第１の光源ユニット８１０Ａおよび第２の光源ユニット８１０Ｂは、例えば、レーザダイオード（ＬＤ：Ｌａｓｅｒ  Ｄｉｏｄｅ）や発光ダイオード（ＬＥＤ：Ｌｉｇｈｔ  Ｅｍｉｔｔｉｎｇ  Ｄｉｏｄｅ）などの複数の固体光源によって構成される。本実施の形態では固体光源として紫外光から可視光までの波長領域のうち所定の波長の光を発光するレーザダイオード、特に波長４４０〜４７０ｎｍの青色光を出射するレーザダイオードを使用しており、この青色光は蛍光体を励起するための励起光としても用いられる。第１の光源ユニット８１０Ａおよび第２の光源ユニット８１０Ｂの構成は、図４に示した構成と同様である。
【００６２】
図１１に戻って、第１の光源ユニット８１０Ａおよび第２の光源ユニット８１０Ｂからの出射光は、合成ミラー８７０によって光束が合成される。
【００６３】
合成ミラー８７０により合成された第１の光源ユニット８１０Ａの青色光、および、第２の光源ユニット８１０Ｂの青色光は、励起光Ｂ４となる。この励起光Ｂ４は、蛍光体ホイール８２０の蛍光体に照射され、蛍光成分Ｐ３を発光する。また、励起光Ｂ４の一部は蛍光体ホイールを未変換光として透過し、蛍光成分Ｐ３と合わせ、白色光として蛍光体ホイール８２０から出射される。
【００６４】
［３−２］蛍光体ホイールの構成
蛍光体ホイール８２０は、励起光Ｂ４の光軸に沿って延びる回転軸８２０Ｘを中心として回転するように構成される。蛍光体ホイール８２０は、励起光の入射方向と同方向に蛍光を発する透過型蛍光体ホイールの一例である。
【００６５】
図１２に示すように、蛍光体ホイール８２０は、基板９１０と、基板９１０上に基板の回転方向に円環状に形成された蛍光体領域９２０と、蛍光体領域９２０が形成された蛍光体基板９１１を回転させるためのモーター９３０とにより構成されている。ここで、基板９１０は、透過性材料からなる基板、例えばサファイア基板が用いられる。
【００６６】
実施形態３に係る、蛍光体領域９２０の詳細構成につき、図１３（ａ）を用いて説明する。
【００６７】
蛍光体領域９２０は、第１の蛍光体層１０１０、第２の蛍光体層１０３０、第１の反射層１０２０、第２の反射層１０４０、および基板９１０によって構成される。これら蛍光体層、反射層は、励起光Ｂ４の入射方向とは逆の方向に対して、第１の蛍光体層１０１０、第１の反射層１０２０、第２の蛍光体層１０３０、第２の反射層１０４０の順で、基板９１０上に積層配置されている。
【００６８】
第１の蛍光体層１０１０は、励起光Ｂ４に応じ、緑色〜黄色を主たる波長域として、蛍光を発する第１の蛍光体１０１１、およびセラミック材料からなる第１のバインダ１０１２によって構成される。この第１の蛍光体１０１１は、青色の励起光を効率的に吸収して蛍光を効率的に発光し、且つ温度消光に対する耐性が高い蛍光体であることが好ましい。第１の蛍光体１０１１は、例えば、セリウム付活ガーネット構造蛍光体であるＹ３Ａｌ５Ｏ１２：Ｃｅ３＋である。
【００６９】
第２の蛍光体層１０３０は、励起光Ｂ４に応じ、赤色を主たる波長域として、蛍光を発する第２の蛍光体１０３１、およびシリコーン樹脂からなる第２のバインダ１０３２によって構成される。第２の蛍光体１０３１は、例えば、ユーロピウム付活の窒化物系の蛍光体である（Ｓｒ，Ｃａ）ＡｌＳｉＮ３：Ｅｕ２＋である。
【００７０】
第１の反射層１０２０は、詳細には、第１の蛍光体層１０１０と第２の蛍光体層１０３０の間、第１の蛍光体層１０１０上に形成された誘電体多層膜であり、少なくとも光が入射する領域の全体に均一に形成され、波長によって入射光を選択的に透過させる。第１の反射層１０２０は、例えば、４７０ｎｍ〜５８０ｎｍの入射光を反射し、４７０ｎｍより短波長の入射光、および５８０ｎｍより長波長の入射光を透過させる。すなわち、第１の反射層１０２０は、緑色及び黄色成分光を反射し、赤色成分光及び青色成分光を透過させる。
【００７１】
第２の反射層１０４０は、詳細には、第２の蛍光体層１０３０と基板９１０の間、基板９１０上に形成された誘電体多層膜であり、少なくとも光が入射する領域の全体に均一に形成され、波長によって入射光を選択的に透過させる。第２の反射層１０４０は、例えば、４７０ｎｍ以上の入射光を反射し、４７０ｎｍより短波長の入射光を透過させる。すなわち、第２の反射層１０４０は、緑、黄、赤色成分光を反射し、青色成分光を透過させる。
【００７２】
このように構成された蛍光体領域９２０において、励起光Ｂ４によって励起され、第１の蛍光体１０１１、および第２の蛍光体１０３１より発せられた蛍光の光路につき、図１３（ｂ）を用いて説明する。
【００７３】
まず、励起光Ｂ４は、蛍光体領域９２０において基板９１０、第２の反射層１０４０を透過し、第２の蛍光体層１０３０に入射する。このとき、第２の蛍光体層１０３０に含まれる第２の蛍光体１０３１は、励起光Ｂ４の一部を吸収することにより励起され、蛍光を発する。第２の蛍光体１０３１より発せられた蛍光成分にて、後方発光、すなわち、蛍光体ホイール８２０の基板９１０側へと発せられた蛍光成分Ｒ３（赤色成分）は、第２の反射層１０４０にて反射された後、第２の蛍光体層１０３０、第１の反射層１０２０、第１の蛍光体層１０１０を経て、蛍光体ホイール８２０から取り出される。対して、第２の蛍光体１０３１より発せられた蛍光成分にて、前方発光、すなわち、基板９１０とは反対側へと発せられた蛍光成分Ｒ４（赤色成分）は、第１の反射層１０２０、第１の蛍光体層１０１０を経て、蛍光体ホイール８２０から取り出される。
【００７４】
次に、第２の蛍光体層１０３０によって吸収されなかった励起光Ｂ４は、第１の反射層１０２０を透過し、第１の蛍光体層１０１０に入射する。このとき、第１の蛍光体層１０１０に含まれる第１の蛍光体１０１１は、励起光Ｂ４の一部を吸収することにより励起され、蛍光を発する。第１の蛍光体１０１１より発せられた蛍光成分にて、後方発光、すなわち、蛍光体ホイール８２０の基板９１０側へと発せられた蛍光成分のうち、５８０ｎｍより短波長の蛍光成分Ｙ７（黄色及び緑色成分）は、第１の反射層１０２０にて反射され、蛍光体ホイール８２０から取り出される。一方、５８０ｎｍより長波長の蛍光成分Ｙ８（赤色成分）は、第１の反射層１０２０、および第２の蛍光体層１０３０を経て、第２の反射層１０４０に至り、第２の反射層１０４０にて反射された後、第２の蛍光体層１０３０、第１の反射層１０２０、第１の蛍光体層１０１０を経て、蛍光体ホイール８２０から取り出される。対して、第１の蛍光体１０１１より発せられた蛍光成分にて、後方発光、すなわち、基板９１０とは反対側へと発せられた蛍光成分Ｙ９（黄色及び緑色成分）は、蛍光体ホイール８２０から取り出される。
【００７５】
このとき、第２の蛍光体層１０３０、および第１の蛍光体層１０１０で吸収されなかった励起光Ｂ４は、未変換光として蛍光体ホイール８２０から取り出される。
【００７６】
実施の形態３では、第１の反射層１０２０の反射帯域を４７０ｎｍ〜５８０ｎｍ、第２の反射層１０４０の反射帯域を４７０ｎｍ以上としたが、これに限定されるものではない。第１の反射層１０２０の反射帯域４７０ｎｍ〜５８０ｎｍ、第２の反射層１０４０の反射帯域４７０ｎｍ以上は、所定の反射帯域の一例である。
【００７７】
［３−３］効果
実施の形態３では、第１の蛍光体層１０１０と第２の蛍光体層１０３０との間に、誘電体多層膜からなる波長選択性反射膜である第１の反射層１０２０が設けられる。これによって、第１の蛍光体１０１１から後方発光する蛍光成分が第２の蛍光体層１０３０に至り、第２の蛍光体１０３１にて再吸収されることを防ぎ、かつ、第１の蛍光体１０１１が発する蛍光成分と、第２の蛍光体１０３１が発する蛍光成分とから構成される所望の蛍光成分を得ることが可能となる。
【００７８】
さらに、第１の蛍光体１０１１から後方発光する蛍光成分のうち、短波長成分が第１の反射層１０２０にて反射されることにより、蛍光体ホイール８２０から取り出されるまでの光路長が短縮される。これによって、より明るさに寄与する短波長成分光の発光スポットサイズの拡がりが抑制されるという効果もある。これらの効果により、結果として従来に比べ、十分に高効率化され、かつ所望の蛍光スペクトルを有する光源装置、およびこの光源装置を用いた投写型映像表示装置の提供が可能となる。
（実施の形態４）
[４−１]光源部の構成
実施の形態４に係る光源装置について、図１４〜図１７を用いて説明する。図１４は、実施の形態４に係る光源部２００を示す図である。
【００７９】
実施の形態１４では、図１で示した投写型映像表示装置に使用される光源部２００は、主として、第１の光源ユニット２１０Ａ、第２の光源ユニット２１０Ｂ、分離合成ミラー２７０、１１７２、および蛍光体ホイール１１２０によって構成される。また、光源部２００は、必要なレンズ群及びミラー群を含む。レンズ群としては、レンズ２５１〜レンズ２５７が設けられており、ミラー群としては、ミラー２６１、およびミラー２６２が設けられている。また、光源部２００は、必要な拡散板群を有する。拡散板群としては、拡散板２４１および拡散板２４２が設けられている。
【００８０】
第１の光源ユニット２１０Ａおよび第２の光源ユニット２１０Ｂは、例えば、レーザダイオード（ＬＤ：Ｌａｓｅｒ  Ｄｉｏｄｅ）や発光ダイオード（ＬＥＤ：Ｌｉｇｈｔ  Ｅｍｉｔｔｉｎｇ  Ｄｉｏｄｅ）などの複数の固体光源によって構成される。本実施の形態では固体光源として紫外光から可視光までの波長領域のうち所定の波長の光を発光するレーザダイオード、特に波長４４０〜４７０ｎｍの青色光を出射するレーザダイオードを使用しており、この青色光は蛍光体を励起するための励起光としても用いられる。図１５に示すように、第１の光源ユニット２１０Ａおよび第２の光源ユニット２１０Ｂは、それぞれ、３つの光源ブロック２１２で構成されており、光源ブロック２１２は６つのレーザダイオード２１１によって構成される。ここで、レーザダイオードは、発光素子の一例である。
【００８１】
図１４に戻って、第１の光源ユニット２１０Ａおよび第２の光源ユニット２１０Ｂからの出射光は、分離合成ミラー２７０によって、蛍光体ホイール２２０を励起するための励起光Ｂ５と、映像光として用いられる青色光Ｂ６に、光束が分離かつ合成される。
【００８２】
分離合成ミラー２７０で反射により分離された第１の光源ユニット２１０Ａの青色光、および、分離合成ミラー２７０を透過した第２の光源ユニット２１０Ｂの青色光の一部は、励起光Ｂ５となる。この励起光Ｂ５は、レンズ２５１、ミラー２６１、レンズ２５３、拡散板２４１、ダイクロイックミラー１１７２、レンズ２５５、レンズ２５７、蛍光体ホイール１１２０の経路からなる光路（第１光路）を通る。これにより、励起光Ｂ５は、蛍光体ホイール１１２０の蛍光体に照射され、蛍光成分Ｐ４を発光する。
【００８３】
一方、分離合成ミラー２７０を透過した第１の光源ユニット２１０Ａからの青色光の一部、および分離合成ミラー２７０で反射により分離された第２の光源ユニット２１０Ｂの青色光は、映像光成分Ｂ６となる。この映像光成分Ｂ６は、レンズ２５２、ミラー２６２、拡散板２４２、レンズ２５４、ダイクロイックミラー１１７２の経路からなる光路（第２光路）を通る。そして、蛍光成分Ｐ４と青色光Ｂ６は、ダイクロイックミラー１１７２によって合成され（すなわち、第１光路と第２光路が１つの光路に纏められ）、白色光として出射される。
［４−２］蛍光体ホイールの構成
蛍光体ホイール１１２０は、励起光Ｂ５の光軸に沿って延びる回転軸１１２０Ｘを中心として回転するように構成される。蛍光体ホイール１１２０は、励起光の入射方向と反対方向に蛍光を発する反射型蛍光体ホイールの一例である。
【００８４】
図１６に示すように、蛍光体ホイール１１２０は、基板１２１０と、基板１２１０上に基板の回転方向に円環状に形成された蛍光体領域１２２０と、蛍光体領域１２２０が形成された蛍光体基板１２１１を回転させるためのモーター１２３０とにより構成されている。
【００８５】
実施の形態４に係る、蛍光体領域１２２０の詳細構成につき、図１７（ａ）を用いて説明する。
【００８６】
蛍光体領域１２２０は、第１の蛍光体層１３１０、第２の蛍光体層１３３０、第１の反射層１３２０、第２の反射層１３４０、および基板１２１０によって構成される。これら蛍光体層、反射層は、励起光Ｂ５の入射方向に対して、第１の蛍光体層１３１０、第１の反射層１３２０、第２の蛍光体層１３３０、第２の反射層１３４０の順で、基板１２１０上に積層配置されている。
【００８７】
第１の蛍光体層１３１０は、励起光Ｂ５に応じ、緑色〜黄色を主たる波長域として、蛍光を発する黄色蛍光体である第１の蛍光体１３１１、およびセラミック材料からなる第１のバインダ１３１２によって構成される。この第１の蛍光体１３１１は、青色の励起光を効率的に吸収して蛍光を効率的に発光し、且つ温度消光に対する耐性が高い蛍光体であることが好ましい。第１の蛍光体１３１１は、例えば、セリウム付活ガーネット構造蛍光体であるＹ３Ａｌ５Ｏ１２：Ｃｅ３＋である。
【００８８】
第２の蛍光体層１３３０は、励起光Ｂ５に応じ、緑色を主たる波長域として、蛍光を発する緑色蛍光体である第２の蛍光体１３３１、およびシリコーン樹脂からなる第２のバインダ１３３２によって構成される。第２の蛍光体１３３１は、例えば、セリウム付活ガーネット構造蛍光体であるＬｕ３Ａｌ５Ｏ１２：Ｃｅ３＋である。
【００８９】
第１の反射層１３２０は、詳細には、第１の蛍光体層１３１０と第２の蛍光体層１３３０の間、第１の蛍光体層１３１０上に形成された誘電体多層膜であり、少なくとも光が入射する領域の全体に均一に形成され、波長によって入射光を選択的に透過させる。第１の反射層１３２０は、例えば、５００ｎｍより長波長の入射光を反射し、５００ｎｍより短波長の入射光を透過させる。
【００９０】
第２の反射層１３４０は、詳細には、第２の蛍光体層１３３０と基板１２１０の間、基板１２１０上に形成された全反射膜であり、少なくとも光が入射する領域の全体に均一に形成される。第２の反射層１３４０は、例えば、Ａｇ合金からなる金属膜である。
【００９１】
このように構成された蛍光体領域１２２０において、励起光Ｂ５によって励起され、第１の蛍光体１３１１、および第２の蛍光体１３３１より発せられた蛍光の光路につき、図１７（ｂ）を用いて説明する。
【００９２】
まず、励起光Ｂ５は、蛍光体領域１２２０において第１の蛍光体層１３１０に入射する。このとき、第１の蛍光体層１３１０に含まれる第１の蛍光体１３１１は、励起光Ｂ５の一部を吸収することにより励起され、蛍光を発する。第１の蛍光体１３１１より発せられた蛍光成分にて、前方発光、すなわち、蛍光体ホイール１１２０の基板１２１０側へと発せられた蛍光成分のうち、５００ｎｍより長波長の蛍光成分Ｙ１０（緑色及び黄色成分）は、第１の反射層１３２０にて反射され、蛍光体ホイール１１２０から取り出される。一方、５００ｎｍより短波長の蛍光成分Ｙ１１（青色成分）は、第１の反射層１３２０、および第２の蛍光体層１３３０を経て、第２の反射層１３４０に至り、第２の反射層１３４０にて反射された後、第２の蛍光体層１３３０、第１の反射層１３２０、第１の蛍光体層１３１０を経て、蛍光体ホイール１１２０から取り出される。対して、第１の蛍光体１３１１より発せられた蛍光成分にて、後方発光、すなわち、基板１２１０とは反対側へと発せられた蛍光成分Ｙ１２（緑色及び黄色成分）は、蛍光体ホイール１１２０から取り出される。
【００９３】
次に、第１の蛍光体層１３１０によって吸収されなかった励起光Ｂ５は、第１の反射層１３２０を透過し、第２の蛍光体層１３３０に入射する。このとき、第２の蛍光体層１３３０に含まれる第２の蛍光体１３３１は、励起光Ｂ５の一部を吸収することにより励起され、蛍光を発する。第２の蛍光体１３３１より発せられた蛍光成分において、前方発光、すなわち基板１２１０側へと発せられた蛍光成分のうち、５００ｎｍより短波長の蛍光成分ＧＢ１（青色成分）は、第２の反射層１３４０にて反射された後、第２の蛍光体層１３３０、第１の反射層１３２０、第１の蛍光体層１３１０を経て、蛍光体ホイール５２０から取り出される。対して、第２の蛍光体１３３１より発せられた蛍光成分にて、後方発光、すなわち、蛍光体ホイールの基板１２１０とは反対側へと発せられた蛍光成分のうち、５００ｎｍより短波長の蛍光成分ＧＢ２（青色成分）は、第１の反射層１３２０、第１の蛍光体層１３１０を経て蛍光体ホイール１１２０から取り出される。
【００９４】
このとき、第１の蛍光体層１３１０、および第２の蛍光体層１３３０で吸収されなかった励起光Ｂ５は、第２の反射層１３４０にて反射された後、第２の蛍光体層１３３０、もしくは第１の蛍光体層１３１０に吸収される、もしくは未変換光として蛍光体ホイール１１２０から取り出される。
【００９５】
実施の形態４では、第１の反射層１３２０の反射帯域を５００ｎｍ以上としたが、これに限定されるものではない。第１の反射層１３２０の反射帯域５００ｎｍ以上は、所定の反射帯域の一例である。
［４−３］効果
実施の形態４では、第１の蛍光体層１３１０と第２の蛍光体層１３３０との間に、誘電体多層膜からなる波長選択性反射膜である第１の反射層１３２０が設けられる。これによって、第１の蛍光体１３１１から前方発光する蛍光成分のうち、長波長成分が第１の反射層１３２０にて反射されることにより、蛍光体ホイール１１２０から取り出されるまでの光路長が短縮される。したがって、より明るさに寄与する緑〜黄色成分光の発光スポットサイズの拡がりが抑制し、かつ、第１の蛍光体１３１１が発する蛍光成分と、第２の蛍光体１３３１が発する蛍光成分とから構成される所望の蛍光成分を得ることが可能となる。この効果により、結果として従来に比べ、更に高効率化され、かつ所望の蛍光スペクトルを有する光源装置、およびこの光源装置を用いた投写型映像表示装置の提供が可能となる。
【００９６】
上述の実施の形態は、本開示における技術を例示するためのものであるから、特許請求の範囲またはその均等の範囲において種々の変更、置き換え、付加、省略などを行うことができる。
【産業上の利用可能性】
【００９７】
本開示は、プロジェクタ等の投写型映像表示装置に適用できる。
【符号の説明】
【００９８】
２４  全反射プリズム
２６  空気層
２８  カラープリズム
３０、３２  ダイクロイック膜
３４、３６、３８  ＤＭＤ
５２、５６、５８、２５１、２５２、２５３、２５４、２５５、２５７、８５１、８５３、８５５、８５７  レンズ
５４  ロッド
６０  投写光学系
６２、２６１、２６２  ミラー
１００  投写型映像表示装置
１０５  スクリーン
２００  光源部
２１０、２１０Ａ、２１０Ｂ、５１０、５１０Ａ、５１０Ｂ、８１０、８１０Ａ、８１０Ｂ  光源ユニット
２１１、５１１、５１３  レーザダイオード
２１２、５１２、５１４  光源ブロック
２２０、５２０、８２０、１１２０  蛍光体ホイール
２４１、２４２、８４１  拡散板
２７０、５７０  分離合成ミラー
３１０、６１０、９１０、１２１０  基板
３２０、６２０、９２０、１２２０  蛍光体領域
３３０、６３０、９３０、１２３０  モーター
４１０、７１０、１０１０、１３１０  第１の蛍光体層
４１１、７１１、１０１１、１３１１  第１の蛍光体
４１２、７１２、１０１２、１３１２  第１のバインダ
４２０、７２０、１０２０、１３２０  第１の反射層
４３０、７３０、１０３０、１３３０  第２の蛍光体層
４３１、７３１、１０３１、１３３１  第２の蛍光体
４３２、７３２、１０３２、１３３２  第２のバインダ
４４０、７４０、１０４０、１３４０  第２の反射層
８７０  合成ミラー
【図１】
0006596659.tif 000002
【図２】
0006596659.tif 000003
【図３】
0006596659.tif 000004
【図４】
0006596659.tif 000005
【図５】
0006596659.tif 000006
【図６】
0006596659.tif 000007
【図７】
0006596659.tif 000008
【図８】
0006596659.tif 000009
【図９】
0006596659.tif 000010
【図１０】
0006596659.tif 000011
【図１１】
0006596659.tif 000012
【図１２】
0006596659.tif 000013
【図１３】
0006596659.tif 000014
【図１４】
0006596659.tif 000015
【図１５】
0006596659.tif 000016
【図１６】
0006596659.tif 000017
【図１７】
0006596659.tif 000018